【手続補正書】
【提出日】平成17年6月29日(2005.6.29)
【手続補正１】
【補正対象書類名】明細書
【補正対象項目名】特許請求の範囲
【補正方法】変更
【補正の内容】
【特許請求の範囲】
【請求項１】
電波または光信号による無線を用いてデータ通信を行なう無線通信装置であって、
前記無線通信装置の各部の動作を制御する制御部と、
前記制御部において作成されたデータパケットまたは制御パケットを送信する無線送信手段と、
通信相手が送信したデータパケットおよび制御パケットを受信する無線受信手段と、
前記無線送信手段から送信されるパケットの信号到達範囲を制御する送信制御手段とを備え、
前記制御部は、データ通信の終了時に前記通信相手に対し通信接続の切断を要求する切断要求パケットを作成して前記無線送信手段および前記送信制御手段に送り、
前記送信制御手段は、前記切断要求パケット送信時の信号到達範囲を前記データパケット送信時よりも広くなるように制御し、
前記無線送信手段は、前記切断要求パケットを前記信号到達範囲内に送信する、無線通信装置。
【請求項２】
前記送信制御手段は、
前記無線送信手段により送信するパケットを識別する手段と、
前記無線送信手段における送信指向性を制御する手段と、
前記無線送信手段における送信出力強度を制御する手段とを含み、
前記送信パケットが前記切断要求パケットであることを識別すると、前記送信指向性制御手段により送信指向性を前記データパケット送信時よりも弱くすることにより、もしくは、前記送信出力強度制御手段により出力強度を前記データパケット送信時よりも大きくすることにより、前記切断要求パケット送信時における信号到達範囲を前記データパケット送信時よりも広くする、請求項１に記載の無線通信装置。
【請求項３】
前記制御部は、前記通信相手が送信した前記切断要求パケットを前記無線受信手段により受信すると、切断応答パケットを作成して前記無線送信手段および前記送信制御手段に送り、
前記送信制御手段は、前記切断応答パケット送信時の信号到達範囲を前記データパケット送信時よりも広くなるように制御し、
前記無線送信手段は、前記切断応答パケットを前記信号到達範囲内に送信する、請求項１に記載の無線通信装置。
【請求項４】
前記送信制御手段は、前記送信パケットが前記切断応答パケットであることを識別すると、前記送信指向性制御手段により送信指向性を前記データパケット送信時よりも弱くすることにより、もしくは、前記送信出力強度制御手段により出力強度を前記データパケット送信時よりも大きくすることにより、前記切断応答パケット送信時における信号到達範囲を前記データパケット送信時よりも広くする、請求項３に記載の無線通信装置。
【請求項５】
前記無線送信手段は、互いに異なる方向に向けて配置された、強い指向性を有するアンテナを複数含む、請求項１または３に記載の無線通信装置。
【請求項６】
前記無線送信手段は、互いに異なる方向に向けて配置された、出力強度の異なるアンテナを複数含む、請求項１または３に記載の無線通信装置。
【請求項７】
前記無線受信手段により受信するパケットの信号受信範囲を制御する受信制御手段をさらに備え、
前記制御部は、前記切断要求コマンドの出力信号を前記受信制御手段に送り、
前記受信制御手段は、前記切断要求コマンド出力信号を受けると、前記データパケット受信時よりも前記切断応答パケット受信時における信号受信範囲が広くなるように制御し、
前記無線受信手段は、前記信号受信範囲内において前記切断応答パケットの受信を待ち受ける、請求項１に記載の無線通信装置。
【請求項８】
前記受信制御手段は、
前記無線受信手段における受信指向性を制御する手段と、
前記無線受信手段における受信感度を制御する手段とを含み、
前記受信指向性制御手段により受信指向性を前記データパケット受信時よりも弱くすることにより、もしくは、前記受信感度制御手段により受信感度を前記データパケット受信時よりも大きくすることにより、前記切断応答パケット受信時における信号受信範囲を前記データパケット受信時よりも広くする、請求項７に記載の無線通信装置。
【請求項９】
前記無線受信手段は、互いに異なる方向に向けて配置された、強い指向性を有するアンテナを複数含む、請求項７または８に記載の無線通信装置。
【請求項１０】
前記無線受信手段は、互いに異なる方向に向けて配置された、受信感度の異なるアンテナを複数含む、請求項７または８に記載の無線通信装置。
【請求項１１】
前記無線受信手段は、前記受信したパケットの信号強度を測定する受信強度測定手段を含み、
前記受信強度測定手段は、前記無線通信装置が前記通信相手からの前記送信パケットの受信が不可能となる受信信号強度の閾値を設定し、前記受信強度測定手段で測定された信号強度が前記閾値を下回ると、前記無線送信手段により前記通信相手に対して前記切断要求パケットを送信する、請求項１に記載の無線通信装置。
【請求項１２】
前記制御部は、
前記通信相手に接続可能か否かを確認する存在確認パケットを前記無線送信手段により一定時間毎に送信し、前記存在確認パケットに対して、前記通信相手が接続可能であることを応答してくる存在応答パケットを前記無線受信手段により受信する手段を含み、
前記存在確認パケット送信後前記一定時間以内に前記存在応答パケットを受信しないと、前記無線送信手段により前記切断要求パケットを送信する、請求項１に記載の無線通信装置。
【請求項１３】
前記制御部は、
前記無線受信手段による前記存在応答パケットの受信を確認しながら、一送信毎に送信出力強度を段階的に下げて、一定時間毎に前記存在確認パケットを前記無線送信手段により送信し、前記一定時間以内に前記存在応答パケットの受信を得ることができないときの前記存在確認パケットの送信出力強度を判別し、前記通信相手との通信が可能な送信出力強度の閾値を検出する手段をさらに含む、請求項１２に記載の無線通信装置。
【請求項１４】
前記制御部は、
前記閾値の送信出力強度にて前記存在確認パケットを送信し、前記一定時間以内に前記存在応答パケットの受信がないことを確認しながら、送信出力強度を段階的に上げて前記存在確認パケットを送信する手段をさらに含み、
所定の送信出力強度にて前記存在確認パケット送信後前記一定時間以内に前記存在応答パケットを受信しないと、最大の送信出力強度にて前記切断要求パケットを送信する、請求項１２または１３に記載の無線通信装置。
【請求項１５】
前記制御部は、前記通信相手が送信した存在確認パケットを前記無線受信手段により受信すると、存在応答パケットを作成して前記無線送信手段および送信制御手段に送り、
前記送信制御手段は、前記存在応答パケット送信時の信号到達範囲を、前記データパケット送信時よりも狭くなるように制御し、
前記無線送信手段は、前記存在応答パケットを前記信号到達範囲内に送信する、請求項１に記載の無線通信装置。
【請求項１６】
前記送信制御手段は、前記送信パケットが前記存在応答パケットであることを識別すると、前記送信指向性制御手段により送信指向性を前記データパケット送信時よりも強くすることにより、もしくは、前記送信出力強度制御手段により出力強度を前記データパケット送信時よりも小さくすることにより、前記存在応答パケット送信時における信号到達範囲を前記データパケット送信時よりも狭くする、請求項１５に記載の無線通信装置。
【請求項１７】
前記受信強度測定手段は、前記無線通信装置が前記通信相手からの前記送信パケットの受信が不可能となる受信信号強度の閾値を設定し、前記存在応答パケットの受信信号強度が前記閾値を下回ると、前記無線送信手段により前記通信相手に対して前記切断要求パケットを送信する、請求項１５または１６に記載の無線通信装置。
【請求項１８】
電波または光信号による無線を用いて通信を行なう第１の無線通信手段と、
前記第１の無線通信手段とは通信媒体が異なる第２の無線通信手段とを備え、
データ通信は前記第１の無線通信手段を用いて行ない、データ通信終了時における前記切断要求パケットの送信は、前記第２の無線通信手段を用いて行なう、無線通信装置。
【請求項１９】
電波または光信号による無線を用いてデータ通信を行なう無線通信装置であって、
前記無線通信装置の各部の動作を制御する制御部と、
前記制御部において作成されたデータパケットまたは制御パケットを送信する無線送信手段と、
通信相手が送信したデータパケットまたは制御パケットを受信する無線受信手段と、
前記無線送信手段から送信されるパケットの信号到達範囲を制御する送信制御手段とを備え、
前記制御部は、データ通信を開始する際に前記通信相手に対し接続を要求する接続要求パケットを作成して前記無線送信手段および前記送信制御手段に送り、
前記送信制御手段は、前記接続要求パケット送信時における信号到達範囲を、前記データパケット送信時よりも狭くなるように制御し、
前記無線送信手段は、前記接続要求パケットを前記信号到達範囲内に送信する、無線通信装置。
【請求項２０】
前記送信制御手段は、前記送信パケットが前記接続要求パケットであることを識別すると、前記送信指向性制御手段により送信指向性を前記データパケット送信時よりも強くすることにより、もしくは、前記送信出力強度制御手段により出力強度を前記データパケット送信時よりも小さくすることにより、前記接続要求パケット送信時における信号到達範囲を前記データパケット送信時よりも狭くする、請求項１９に記載の無線通信装置。
【請求項２１】
前記制御部は、前記通信相手の送信した接続要求パケットを前記無線受信手段により受信すると、接続応答パケットを作成して前記無線送信手段および前記送信制御手段に送り、
前記送信制御手段は、前記接続応答パケット送信時における信号到達範囲を、前記データパケット送信時よりも狭くなるように制御し、
前記無線送信手段は、前記接続応答パケットを前記信号到達範囲内に送信する、請求項１９に記載の無線通信装置。
【請求項２２】
前記送信制御手段は、前記送信パケットが前記接続応答パケットであることを識別すると、前記送信指向性制御手段により送信指向性を前記データパケット送信時よりも強くすることにより、もしくは、前記送信出力強度制御手段により出力強度を前記データパケット送信時よりも小さくすることにより、前記接続応答パケット送信時における信号到達範囲を前記データパケット送信時よりも狭くする、請求項２１に記載の無線通信装置。
【請求項２３】
前記無線送信手段は、互いに異なる方向に向けて配置された、強い指向性を有するアンテナを複数含む、請求項１９から２２のいずれかに記載の無線通信装置。
【請求項２４】
前記無線送信手段は、互いに異なる方向に向けて配置された、電波強度の異なるアンテナを複数含む、請求項１９から２２のいずれかに記載の無線通信装置。
【請求項２５】
前記無線受信手段により受信するパケットの信号受信範囲を制御する、受信制御手段をさらに備え、
前記受信制御手段は、前記データパケット受信時よりも前記通信相手が送信した接続要求パケット受信時における信号受信範囲が狭くなるように制御し、
前記無線受信手段は、前記信号受信範囲内において、前記接続要求パケットの受信を待ち受ける、請求項２１または２２に記載の無線通信装置。
【請求項２６】
前記受信制御手段は、前記無線受信手段における受信感度を制御する手段を含み、
前記受信感度制御手段により受信感度を前記データパケット受信時よりも小さくすることにより、前記接続要求パケット受信時における信号受信範囲を前記データパケット受信時よりも狭くする、請求項２５に記載の無線通信装置。
【請求項２７】
前記無線受信手段により受信するパケットの信号受信範囲を制御する、受信制御手段をさらに備え、
前記制御部は、前記接続要求コマンドの出力信号を前記受信制御手段に送り、
前記受信制御手段は、前記接続要求コマンド出力信号を受けると、前記データパケット受信時よりも前記接続応答パケット受信時における信号受信範囲が狭くなるように制御し、
前記無線受信手段は、前記信号受信範囲内において前記接続応答パケットの受信を待ち受ける、請求項１９または２０に記載の無線通信装置。
【請求項２８】
前記受信制御手段は、
前記無線受信手段における受信指向性を制御する手段と、
前記無線受信手段における受信感度を制御する手段とを含み、
前記受信指向性制御手段により受信指向性を前記データパケット受信時よりも強くすることにより、もしくは、前記受信感度制御手段により受信感度を前記データパケット受信時よりも小さくすることにより、前記接続応答パケット受信時における信号受信範囲を前記データパケット受信時よりも狭くする、請求項２７に記載の無線通信装置。
【請求項２９】
前記無線受信手段は、互いに異なる方向に向けて配置された、強い指向性を有するアンテナを複数含む、請求項２５から２８のいずれかに記載の無線通信装置。
【請求項３０】
前記無線受信手段は、互いに異なる方向に向けて配置された、受信感度の異なるアンテナを複数含む、請求項２５から２８のいずれかに記載の無線通信装置。
【請求項３１】
通信相手に対して切断要求パケットを送信する無線送信手段と前記切断要求パケット送信時における信号到達範囲を制御する送信制御手段とを含む無線通信装置における送信制御方法であって、
前記通信相手に対する切断要求コマンドから切断要求パケットを作成して前記無線送信手段および前記送信制御手段に送るステップと、
前記送信制御手段において、前記切断要求パケット送信時の信号到達範囲がデータパケット送信時よりも広くする制御を行なうステップと、
前記無線送信手段により前記信号到達範囲内に前記切断要求パケットを送信するステップとを含む送信制御方法。
【請求項３２】
通信相手に対して切断要求パケット送信後において、前記通信相手からの切断応答パケットを受信する無線受信手段と前記切断応答パケット受信時における信号受信範囲を制御する受信制御手段とを含む無線通信装置における受信制御方法であって、
前記通信相手に対する切断要求コマンドの出力信号を前記受信制御手段に送るステップと、
前記受信制御手段において、前記切断応答パケット受信時の信号受信範囲がデータパケット受信時よりも広くする制御を行なうステップと、
前記無線受信手段により前記信号受信範囲内において前記切断応答パケットの受信を待ち受けるステップとを含む受信制御方法。
【請求項３３】
電波または光信号による無線を用いて通信を行なう第１の無線通信手段と、前記第１の無線送信手段とは通信媒体が異なる第２の無線通信手段とを含む無線通信装置における送信制御方法であって、
前記第１の無線通信手段を用いてデータ通信を行なうステップと、
前記第２の無線通信手段を用いて、データ通信終了時における切断要求パケットを送信するステップとを含む送信制御方法。
【請求項３４】
通信相手に対して切断要求パケットを送信する無線送信手段と前記切断要求パケット送信時における信号到達範囲を制御する送信制御手段とを含む無線通信装置における送信制御をコンピュータに実行させるためのプログラムを記録したコンピュータ読取り可能な記録媒体であって、
前記通信相手に対する切断要求コマンドから切断要求パケットを作成して前記無線送信手段および前記送信制御手段に送るステップと、
前記送信制御手段において、前記切断要求パケット送信時の信号到達範囲がデータパケット送信時よりも広くする制御を行なうステップと、
前記無線送信手段により前記信号到達範囲内に前記切断要求パケットを送信するステップとをコンピュータに実行させるためのプログラムを記録したコンピュータ読取り可能な記録媒体。
【請求項３５】
通信相手に対して切断要求パケットを送信後において、前記通信相手からの切断応答パケットを受信する無線受信手段と前記切断応答パケット受信時における信号受信範囲を制御する受信制御手段とを含む無線通信装置における受信制御をコンピュータに実行させるためのプログラムを記録したコンピュータ読取り可能な記録媒体であって、
前記通信相手に対する切断要求コマンドの出力信号を前記受信制御手段に送るステップと、
前記受信制御手段において、前記切断応答パケット受信時の信号受信範囲がデータパケット受信時よりも広くする制御を行なうステップと、
前記無線受信手段により前記信号受信範囲内において前記切断応答パケットの受信を待ち受けるステップとをコンピュータに実行させるためのプログラムを記録したコンピュータ読取り可能な記録媒体。
【請求項３６】
電波または光信号による無線を用いて通信を行なう第１の無線通信手段と、前記第１の無線送信手段とは通信媒体が異なる第２の無線通信手段とを含む無線通信装置における送信制御をコンピュータに実行させるためのプログラムを記録したコンピュータ読取り可能な記録媒体であって、
前記第１の無線通信手段を用いてデータ通信を行なうステップと、
前記第２の無線通信手段を用いて、データ通信終了時における切断要求パケットを送信するステップとをコンピュータに実行させるためのプログラムを記録したコンピュータ読取り可能な記録媒体。
【請求項３７】
電波または光信号による無線を用いてデータ通信を行なう無線通信装置であって、
前記無線通信装置の各部の動作を制御する制御部と、
前記制御部において作成されたデータパケットまたは制御パケットを送信する無線送信手段と、
前記無線送信手段により送信するパケットの種別を識別する手段と、
前記無線送信手段における送信出力強度を制御する手段とを備え、
前記送信出力強度制御手段は、前記送信するパケットの種別に基づいて、前記送信出力強度を変更する、無線通信装置。
【請求項３８】
前記送信するパケットの種別が、データ通信を行なっている通信相手に対し通信接続の切断を要求する切断要求パケットであることを識別すると、前記送信出力強度制御手段により送信出力強度をデータパケット送信時よりも大きくする、請求項３７に記載の無線通信装置。
【請求項３９】
前記送信するパケットの種別が、データ通信を開始する際に通信相手に対し接続を要求する接続要求パケットであることを識別すると、前記送信出力強度制御手段により送信出力強度をデータパケット送信時よりも小さくする、請求項３７に記載の無線通信装置。
【手続補正２】
【補正対象書類名】明細書
【補正対象項目名】００２１
【補正方法】変更
【補正の内容】
【００２１】
【課題を解決するための手段】
この発明の１つの局面に係る無線通信装置は、無線通信装置の各部の動作を制御する制御部と、制御部において作成されたデータパケットまたは制御パケットを送信する無線送信手段と、通信相手が送信したデータパケットおよび制御パケットを受信する無線受信手段と、無線送信手段から送信されるパケットの信号到達範囲を制御する送信制御手段とを備える。本構成において、制御部は、データ通信の終了時に通信相手に対し通信接続の切断を要求する切断要求パケットを作成して無線送信手段および送信制御手段に送る。送信制御手段は、切断要求パケット送信時の信号到達範囲をデータパケット送信時よりも広くなるように制御する。無線送信手段は、切断要求パケットを該信号到達範囲内に送信する。
【手続補正３】
【補正対象書類名】明細書
【補正対象項目名】００２２
【補正方法】変更
【補正の内容】
【００２２】
好ましくは、送信制御手段は、無線送信手段により送信するパケットを識別する手段と、無線送信手段における送信指向性を制御する手段と、無線送信手段における送信出力強度を制御する手段とを含む。本構成において、送信パケットが切断要求パケットであることを識別すると、送信指向性制御手段により送信指向性をデータパケット送信時よりも弱くすることにより、もしくは、送信出力強度制御手段により出力強度を前記データパケット送信時よりも大きくすることにより、切断要求パケット送信時における信号到達範囲をデータパケット送信時よりも広くする。
【手続補正４】
【補正対象書類名】明細書
【補正対象項目名】００２５
【補正方法】変更
【補正の内容】
【００２５】
このとき、送信制御手段は、送信パケットが切断応答パケットであることを識別すると、送信指向性制御手段により送信指向性をデータパケット送信時よりも弱くすることにより、もしくは、送信出力強度制御手段により出力強度をデータパケット送信時よりも大きくすることにより、切断応答パケット送信時における信号到達範囲を前記データパケット送信時よりも広くする。
【手続補正５】
【補正対象書類名】明細書
【補正対象項目名】００２８
【補正方法】変更
【補正の内容】
【００２８】
このとき、受信制御手段は、無線受信手段における受信指向性を制御する手段と、無線受信手段における受信感度を制御する手段とを含み、受信指向性制御手段により受信指向性をデータパケット受信時よりも弱くすることにより、もしくは、受信感度制御手段により受信感度をデータパケット受信時よりも大きくすることにより、切断応答パケット受信時における信号受信範囲をデータパケット受信時よりも広くすることが好ましい。
【手続補正６】
【補正対象書類名】明細書
【補正対象項目名】００３０
【補正方法】変更
【補正の内容】
【００３０】
この発明の別の局面に係る無線通信装置において、無線受信手段は、受信したパケットの信号強度を測定する受信強度測定手段を含む。本構成において、受信強度測定手段は、無線通信装置が通信相手からの送信パケットの受信が不可能となる受信信号強度の閾値を設定し、受信強度測定手段で測定された信号強度が該閾値を下回ると、無線送信手段により通信相手に対して切断要求パケットを送信する。
【手続補正７】
【補正対象書類名】明細書
【補正対象項目名】００３３
【補正方法】変更
【補正の内容】
【００３３】
さらに、制御部は、無線受信手段による存在応答パケットの受信を確認しながら、一送信毎に送信出力強度を段階的に下げて、一定時間毎に存在確認パケットを無線送信手段により送信し、一定時間以内に存在応答パケットの受信を得ることができないときの存在確認パケットの送信出力強度を判別し、通信相手との通信が可能な送信出力強度の閾値を検出する手段を含むことが好ましい。
【手続補正８】
【補正対象書類名】明細書
【補正対象項目名】００３５
【補正方法】変更
【補正の内容】
【００３５】
さらに、この発明の別の局面に係る無線通信装置において、制御部は、閾値の送信出力強度にて存在確認パケットを送信し、一定時間以内に存在応答パケットの受信がないことを確認しながら、送信出力強度を段階的に上げて存在確認パケットを送信する手段をさらに含む。本構成において、所定の送信出力強度にて存在確認パケット送信後一定時間以内に存在応答パケットを受信しないと、最大の送信出力強度にて切断要求パケットを送信する。
【手続補正９】
【補正対象書類名】明細書
【補正対象項目名】００３７
【補正方法】変更
【補正の内容】
【００３７】
この発明のさらに別の局面に係る無線通信装置において、制御部は、通信相手が送信した存在確認パケットを無線受信手段により受信すると、存在応答パケットを作成して無線送信手段および送信制御手段に送り、送信制御手段は、存在応答パケット送信時の信号到達範囲を、データパケット送信時よりも狭くなるように制御し、無線送信手段は、存在応答パケットを該信号到達範囲内に送信する。
【手続補正１０】
【補正対象書類名】明細書
【補正対象項目名】００３８
【補正方法】変更
【補正の内容】
【００３８】
このとき、送信制御手段は、送信パケットが存在応答パケットであることを識別すると、送信指向性制御手段により送信指向性をデータパケット送信時よりも強くすることにより、もしくは、送信出力強度制御手段により出力強度をデータパケット送信時よりも小さくすることにより、存在応答パケット送信時における信号到達範囲をデータパケット送信時よりも狭くする。
【手続補正１１】
【補正対象書類名】明細書
【補正対象項目名】００４３
【補正方法】変更
【補正の内容】
【００４３】
この発明のさらに別の局面に係る無線通信装置は、無線通信装置の各部の動作を制御する制御部と、制御部において作成されたデータパケットまたは制御パケットを送信する無線送信手段と、通信相手が送信したデータパケットまたは制御パケットを受信する無線受信手段と、無線送信手段から送信されるパケットの信号到達範囲を制御する送信制御手段とを備える。制御部は、データ通信を開始する際に通信相手に対し接続を要求する接続要求パケットを作成して無線送信手段および送信制御手段に送る。送信制御手段は、接続要求パケット送信時における信号到達範囲を、データパケット送信時よりも狭くなるように制御する。無線送信手段は、接続要求パケットを該信号到達範囲内に送信する。
【手続補正１２】
【補正対象書類名】明細書
【補正対象項目名】００４４
【補正方法】変更
【補正の内容】
【００４４】
このとき、送信制御手段は、送信パケットが接続要求パケットであることを識別すると、送信指向性制御手段により送信指向性を前記データパケット送信時よりも強くすることにより、もしくは、送信出力強度制御手段により出力強度をデータパケット送信時よりも小さくすることにより、接続要求パケット送信時における信号到達範囲をデータパケット送信時よりも狭くする。
【手続補正１３】
【補正対象書類名】明細書
【補正対象項目名】００４５
【補正方法】変更
【補正の内容】
【００４５】
好ましくは、制御部は、通信相手の送信した接続要求パケットを無線受信手段により受信すると、接続応答パケットを作成して無線送信手段および送信制御手段に送る。送信制御手段は、接続応答パケット送信時における信号到達範囲を、データパケット送信時よりも狭くなるように制御する。無線送信手段は、接続応答パケットを該信号到達範囲内に送信する。
【手続補正１４】
【補正対象書類名】明細書
【補正対象項目名】００４６
【補正方法】変更
【補正の内容】
【００４６】
このとき、送信制御手段は、送信パケットが接続応答パケットであることを識別すると、送信指向性制御手段により送信指向性をデータパケット送信時よりも強くすることにより、もしくは、送信出力強度制御手段により出力強度をデータパケット送信時よりも小さくすることにより、接続応答パケット送信時における信号到達範囲をデータパケット送信時よりも狭くすることが好ましい。
【手続補正１５】
【補正対象書類名】明細書
【補正対象項目名】００４８
【補正方法】変更
【補正の内容】
【００４８】
このとき、受信制御手段は、無線受信手段における受信感度を制御する手段を含む。受信感度制御手段により受信感度をデータパケット受信時よりも小さくすることにより、接続要求パケット受信時における信号受信範囲をデータパケット受信時よりも狭くすることが好ましい。
【手続補正１６】
【補正対象書類名】明細書
【補正対象項目名】００５０
【補正方法】変更
【補正の内容】
【００５０】
このとき、受信制御手段は、受信指向性制御手段により受信指向性をデータパケット受信時よりも強くすることにより、もしくは、受信感度制御手段により受信感度をデータパケット受信時よりも小さくすることにより、接続応答パケット受信時における信号受信範囲をデータパケット受信時よりも狭くすることが好ましい。